(57)【要約】【課題】電子メールのスパム除去において、共通ブラックリストを使用しながら各利用者が独自の判断基準によってスパム判定のできるブラックリストを提供する。【解決手段】本システムを利用する全ての利用者が登録できる共通ブラックリストと、各利用者の判断で登録されるホワイトリストおよび、他の利用者が共通ブラックリストに登録したデータの中で受け入れないデータを保持する除外ブラックリストを使用して、利用者自身の望むスパム判定結果を提供する。また、ブラックリストの登録にあたっては、登録ＵＲＬを記載した電子メールまたは登録ＵＲＬの記載された電子メールやデータの添付された電子メールを本システムへ投入することにより行う方法を提供する。【選択図】図１
2010015526.tif 000002
【特許請求の範囲】
【請求項１】
電子メールサービスに於けるスパム除去に利用されるブラックリストの管理方法であって、
全てのシステム利用者が共有する共通ブラックリストと、各利用者が任意に登録する個別ホワイトリストと、各利用者が任意にブラックリストへの登録を拒絶する除外ブラックリストを有して、利用者別にカスタマイズされた別々のブラックリストを提供することを特徴とする方法。
【請求項２】
請求項１に記載の方法において、共通ブラックリストと個別ホワイトリストと除外ブラックリストを使用して各利用者の目的に一致したブラックリストの検査結果を提供する為のソフトウエアシステム。
【請求項３】
請求項１に記載の方法において、電子メールに記載されたインターネットのリンク先アドレスを解析して、登録すべきインターネットアドレスを抽出することを特徴とする方法。
【請求項４】
請求項３に記載の方法において、直接的にリンク先アドレスを記載する代わりに、リンク先アドレスが記載された電子メールもしくはデータファイルが添付されている電子メールを解析して登録すべきインターネットアドレスを抽出することを特徴とする方法。
【請求項５】
請求項３及び請求項４に記載の方法において、電子メールを解析して登録すべきインターネットアドレスを抽出する為のソフトウエアシステム。
【発明の詳細な説明】
【技術分野】
【０００１】本発明は、電子メールサービスに於けるスパム除去に利用されるブラックリストに関する。
【背景技術】
【０００２】従来の電子メールサービスに於けるブラックリストは、全ての利用者が共通するブラックリストとホワイトリストを利用して同じ検証結果の通知を受ける方法である。【０００３】また、ブラックリスト及びホワイトリストは共通の為、登録は利用者から行えない。
【発明の開示】
【発明が解決しようとする課題】
【０００４】スパムメールの判断基準は各利用者まちまちであるにもかかわらず、全ての利用者が共通のブラックリストとホワイトリストを利用して検証が実施される為、希望した判定結果が得られないケースがあった。【０００５】また、ブラックリストとホワイトリストは全ての利用者に共通である為、利用者が任意に登録、削除が行えなかった。【０００６】そこで本発明は、各利用者が自身の目的とするブラックリストの提供を受けることを課題とする。
【課題を解決するための手段】
【０００７】以上の課題を解決するために、共通のブラックリストと、各利用者個別のホワイトリストを提供する。【０００８】共通ブラックリストは、全ての利用者からの申請により登録することができる。【０００９】ただし、共通ブラックリストへの登録内容で、利用者が任意に登録を拒絶することのできる除外ブラックリスト（ホワイトリストと同等）を利用者別に登録できる。【００１０】また、利用者はブラックリストへ登録される以前からでも、あらかじめホワイトリストを利用者別に登録することができる。【００１１】利用者のメール配信システムからのブラックリスト検証依頼を受けた本システムは、共通ブラックリストを検索して存在しなかった場合は、「ブラックでない」を検証結果として返信する。【００１２】共通ブラックリストに存在した場合は、利用者別の除外ブラックリストを検索して存在した場合は、「ブラックでない」を検証結果として返信する。【００１３】除外ブラックリストに存在しなかった場合は、利用者別のホワイトリストを検索して存在した場合は、「ブラックでない」を検証結果として返信する。【００１４】ホワイトリストに存在しなかった場合は、「ブラックである」を検証結果として返信する。【００１５】ブラックリストの登録においては、登録ＵＲＬの記載された電子メールを本システムへ送信してエントリーする方法をとる。【００１６】又は、登録ＵＲＬの記載された電子メールもしくはデータファイルが添付されている電子メールを本システムへ送信してエントリーする方法をとる。【００１７】エントリーの為に送信された電子メールの中身を解析してＵＲＬを抽出し、ブラックリスト登録データ（登録ＵＲＬ）として共通ブラックリストへ登録する。【００１８】また同時に、抽出された登録ＵＲＬを他の利用者用の除外ブラックリストへ登録する。
【発明の効果】
【００１９】共通のブラックリストを利用することにより、利用者自身でブラックリストの登録を行わなくとも本システムを利用する他の利用者による登録により、ブラックリストの恩恵を受けられる特性を維持して、
利用者自身による個別のホワイトリスト及び除外ブラックリストにより、独自の判断によるブラックリストの検査を受けられる様になる。【００２０】電子メールやデータファイルが添付された電子メールからのブラックリスト登録手法を提供することで、利用者が既に受信したスパムメールを電子メールへ添付して本システムへ送信することにより、簡単にブラックリストへの登録が行える。
【発明を実施するための最良の形態】
【００２１】この発明における処理の流れを図１に示す。
１００は本システム利用者のインターネットシステム環境を示し、
２００は本システムが利用者に提供するブラックリスト及びホワイトリストの管理環境を示し、
３００は本システムが利用者に提供するブラックリスト検証サービスを示す。【００２２】利用者はメーラーを利用してブラックリスト登録申請メール１１１を送信する。【００２３】ＳＭＴＰサーバサービスの電子メール解析プログラム２１１は受信したブラックリスト登録申請メール１１１の本文および添付ファイルを解析して、記載されているリンクアドレスを抽出し、
抽出ＵＲＬ４０１へ保存し、
登録確認用のＵＲＬの記載された確認メール１１２を利用者へ返信する。【００２４】確認メール１１２を受信した利用者は、メールに記載されているＵＲＬをクリックすることでブラウザ１２１を起動してブラックリスト登録確認ページ２２１を開き、
抽出ＵＲＬ４０１の内容を確認して共通ブラックリスト４０２への登録を行い、
同様の内容を自身以外の利用者環境の除外ブラックリスト４０３−２へ登録を行う。【００２５】利用者はブラウザ１２２から除外ブラックリスト確認ページ２２２へアクセスし、利用者独自の除外ブラックリスト４０３の確認・削除を行う。【００２６】利用者はブラウザ１２３からホワイトリスト管理ページ２２３へアクセスし、利用者独自の個別ホワイトリスト４０４の登録・削除を行う。【００２７】利用者システムのメールサーバ１３１は受信したメールの内容を解析してＵＲＬを抽出し、
ブラックリスト検証サービス３１１へＵＲＬを通知して検証を依頼する。【００２８】ブラックリスト検証サービス３１１は共通ブラックリスト４０２を検索し、
存在しなかった場合は、「ブラックでない」を検証結果として返信する。【００２９】共通ブラックリスト４０２に存在した場合は、除外ブラックリスト４０３を検索し、
存在した場合は、「ブラックでない」を検証結果として返信する。【００３０】除外ブラックリスト４０３に存在しなかった場合は、ホワイトリスト４０４を検索し、
存在した場合は、「ブラックでない」を検証結果として返信する。【００３１】ホワイトリスト４０４に存在しなかった場合は、「ブラックである」を検証結果として返信する。【００３２】なお上記において、種々の具体例を示して説明してきたが、本発明はこれらの具体例にのみ限定されるものではなく、本発明の技術的範囲を逸脱することなしに様々な変形が可能であることは勿論である。【００３３】例えば、本ブラックリストは電子メールシステムに於ける送信元メールサーバの検証に用いることが可能であるのは勿論でる。
【図面の簡単な説明】
【００３４】
【図１】    本発明において、機能の構成を示す図である。
【符号の説明】
【００３５】    １００      本システムに関わる利用者のインターネットシステム環境の範囲
１１１      ブラックリスト登録申請メール
１１２      ブラックリスト登録確認メール
１２１      インターネットブラウザプログラム
１２２      インターネットブラウザプログラム
１２３      インターネットブラウザプログラム
１３１      利用者システムのメールサーバ
２００      本システムが利用者に提供するブラックリスト及びホワイトリストの管理環境の範囲
２１１      電子メール解析プログラム
２２１      ブラックリスト登録確認ホームページ
２２２      除外ブラックリスト確認ホームページ
２２３      ホワイトリスト管理ホームページ
３００      本システムが利用者に提供するブラックリスト検証サービス
３１１      ブラックリスト検証サービス
４０１      抽出ＵＲＬデータ
４０２      共通ブラックリストデータ
４０３      除外ブラックリストデータ
４０３−２  除外ブラックリストデータ（他の利用者用）
４０４      個別ホワイトリスト
【図１】
2010015526.tif 000003